(57)【要約】【課題】地面に置いた状態のままで端面部分の開封を容易とし、しかも、作業者の安全性も確保できる巻取り体用の包装材およびこれを用いた巻取り包装体を提供する。【解決手段】包装材２０の包装材主体２１には、包装の際に巻取り体１１の両端面近傍の外周方向全周に亘って存する位置に、帯状の切断テープ２３を積層する。切断テープ２３を、包装の際に両端面の少なくとも一方に当接される保護パッド２５と重なる位置に包装材主体２１に積層する。切断テープ２３の縦方向の１８０度捻り引張強さを２０Ｎ／４ｍｍ以上とする。切断テープ２３を、厚み３０〜１５０μｍ、幅１〜１０ｍｍの帯状のポリエチレンテレフタレートまたはポリプロピレンとする。巻取り包装体１０を、包装材２０で巻取り体１１を包装したものとする。【選択図】        図１
2004238053.tif 000002
【特許請求の範囲】
【請求項１】
長尺の帯状体の一端側を巻芯側としてロール状に巻回した巻取り体全体を包装する包装材主体を有する包装材において、
前記包装材主体には、包装の際に前記巻取り体の両端面近傍の外周方向全周に亘って存する位置に、帯状の切断テープが積層されていることを特徴とする包装材。
【請求項２】
前記切断テープは、包装の際に、前記巻取り体の両端面の少なくとも一方に当接される保護パッドと重なる位置に前記包装材主体に積層されていることを特徴とする請求項１記載の包装材。
【請求項３】
前記切断テープの縦方向の１８０度捻り引張強さは、２０Ｎ／４ｍｍ以上であることを特徴とする請求項１または２記載の包装材。
【請求項４】
前記切断テープは、厚み３０μｍ〜１５０μｍ、幅１ｍｍ〜１０ｍｍの帯状のポリエチレンテレフタレートまたはポリプロピレンからなることを特徴とする請求項１ないし３のいずれかに記載の包装材。
【請求項５】
請求項１ないし４のいずれかに記載の包装材によって、長尺の帯状体の一端側を巻芯側としてロール状に巻回した巻取り体が包装されていることを特徴とする巻取り包装体。
【発明の詳細な説明】
【０００１】
【発明の属する技術分野】
本発明は、印刷用紙などの巻取り体を包装する包装材、および、この包装材によって巻取り体が包装された巻取り包装体に関し、特に大型巻取り体に適した包装材およびこれを用いた巻取り包装体に関する。
【０００２】
【従来の技術】
各種用途に用いられるプラスチックフィルムや新聞用紙、あるいは、印刷用紙などは、長尺の帯状体であり、長手方向の一端側を巻芯側としてロール状に巻回されたものである。このようなロール状に巻回されたフィルムや紙は、輸送時の保護のため、包装材によって包装されている。
このロール状に巻回されたフィルムや紙としては、手で持ち運べる程度の大きさの小巻取り体と、クランプ車などでないと持ち運ぶことができない大型巻取り体がある。
【０００３】
大型巻取り体の包装材の胴面を開封するためには、大型巻取り体を持ち上げた状態で、その軸方向にカッターを移動させて、包装材を切り裂く方法が提案されていた（例えば、特許文献１参照。）。
しかしながら、胴面の包装材を早めに破いてしまうと、巻取り体が印刷前に吸湿してしまうために、印刷作業などに支障をきたしてしまう。したがって、巻取り体を使用する際には、まず、端面包装だけを胴面の包装材を破かないように取り除く必要がある。
【０００４】
また、印刷用紙などの大型巻取り体では、新聞や雑誌などの印刷において、非常に高速な印刷にも対応できるよう、巻取り体の端面包装を保護するために、端面に保護パッドを当接した上で、包装材で包装することが通常行われている。そこで、巻取り体を印刷機などの機械に取り付ける前には、端面の包装材と共に保護パッドも取り除く必要がある。
この巻取り体の端面包装を保護パッドと共に取り除く作業は、巻取り体をクランプ車で持ち上げた状態で、作業者が保護パッドと巻取り体の端面との間にカッターを差し込んで、端面包装を破くという手作業を行っていた。
【０００５】
【特許文献１】
特開平４−３１１４３８号公報
【０００６】
【発明が解決しようとする課題】
しかしながら、カッターによる手作業では迅速に端面包装を取り除くことができないという問題があった。また、巻取り体をクランプ車で持ち上げた状態でないと、端面包装を取り除くことができないため、クランプ車の作業スペースが必要となり、その分、巻取り体の保管スペースが制約を受けるという問題もあった。さらに、カッターによる手作業では、作業者の安全性を確保できないという問題もあった。
【０００７】
本発明は、前記事情に鑑みてなされたもので、地面に置いた状態のままで端面部分の開封を容易に行うことができ、しかも作業者の安全性も確保できる巻取り体用の包装材およびこれを用いた巻取り包装体を提供することを目的とする。
【０００８】
【課題を解決するための手段】
本発明は、上記課題を解決するために、長尺の帯状体の一端側を巻芯側としてロール状に巻回した巻取り体全体を包装する包装材主体を有する包装材において、前記包装材主体には、包装の際に前記巻取り体の両端面近傍の外周方向全周に亘って存する位置に、帯状の切断テープが積層されていることを特徴とする包装材を提供する。
【０００９】
本発明において、前記切断テープは、包装の際に、前記巻取り体の両端面の少なくとも一方に当接される保護パッドと重なる位置に前記包装材主体に積層されていることが好ましい。
本発明において、前記切断テープの縦方向の１８０度捻り引張強さは、２０Ｎ／４ｍｍ以上であることが好ましい。
【００１０】
本発明において、前記切断テープは、厚み３０μｍ〜１５０μｍ、幅１ｍｍ〜１０ｍｍの帯状のポリエチレンテレフタレートまたはポリプロピレンからなることが好ましい。
本発明に係る巻取り包装体は、上記包装材によって、長尺の帯状体の一端側を巻芯側としてロール状に巻回した巻取り体が包装されていることを特徴としている。
【００１１】
【発明の実施の形態】
以下、本発明の一実施形態について説明する。
図１は、本実施形態に係る巻取り包装体の開封を開始した状態の概略斜視図である。図２は、図１の巻取り包装体の端面近傍の概略断面図である。図３は、図１の巻取り包装体の包装前の巻取り体を示す概略斜視図である。図４は、本実施形態の包装材の一例を示す概略平面図である。なお、図１〜図４においては、各部をわかり易く説明するため、各図の各部材の縮尺は必ずしも正確には描かれていない。
図１〜図３に示すように、巻取り包装体１０は、巻取り体１１と、巻取り体１１の一方の端面に当接されている保護パッド２５と、巻取り体１１と保護パッド２５の全体を包装する包装材２０と、から概略構成されている。
【００１２】
図３に示すように、巻取り体１１は、長尺の帯状体１２の一端側を巻芯１３側としてロール状に巻回したものである。
帯状体１２の材質に特に限定はないが、例えば、各種用途に用いられるプラスチックフィルムや新聞用紙、印刷用紙などが挙げられる。
巻取り体１１の大きさにも特に限定はないが、本発明は、例えば、直径０．８〜１．５ｍ、長さ１万〜３万ｍ程度、重さ０．５ｔ〜１．５ｔの大型の巻取り体に好適に適用できる。
また、巻取り体１１の一方の端面１１ｂには、端面１１ｂを保護するための保護パッド２５が当接されている。
ここで、保護パッド２５としては、厚み５ｍｍ程度、巻取り体１１の端面１１ｂとほぼ同形状の段ボールなどからなるものが使用されている。
【００１３】
図４に示すように、包装材２０は、包装材主体２１と、この包装材主体２１に積層一体化された切断テープ２３、２３とから構成されている。
包装材主体２１は、巻取り体１１の胴面１１ａ全体を包装する胴面包装部２１ａと、巻取り体１１の２つの端面１１ｂ、１１ｂを包装する２つの端面包装部２１ｂ、２１ｂとから構成されている。
【００１４】
切断テープ２３、２３は、胴面包装部２１ａの両端において、包装材主体２１が巻取り体１１に巻き付けられる方向に沿って、包装材主体２１の一方の面に、帯状に積層されている。
すなわち、切断テープ２３、２３は、巻取り体１１を包装した際に、巻取り体１１の両端面１１ｂ、１１ｂの外周方向の全周に亘って存する位置において、包装材主体２１に積層されている。
さらに、切断テープ２３は、巻取り体１１を包装した際に、図２に示すように、巻取り体１１の一方の端面１１ｂに当接される保護パッド２５に重なる位置において、包装材主体２１と積層されている。
【００１５】
包装材主体２１は、主に、未晒包装用紙、晒包装用紙が使用可能である。例えば、クラフト紙、Ｋライナー、ワンプ、Ｊライナーなどの公知の包装用紙で形成されている。好ましくは、防水加工を施したものがよい。
包装材主体２１の厚みは、例えば、１００μｍ〜３００μｍである。
包装材主体２１の大きさは、巻取り体１１と保護パッド２５の全体を包装できるよう、適宜決定される。
【００１６】
切断テープ２３、２３としては、ポリエチレンテレフタレート、ポリプロピレン、ポリスチレン、塩化ビニル、ポリエチレン、ポリエチレン酢酸ビニル、ポリ塩化ビニル、ポリ塩化ビニリデン、ポリメチルメタクリレート、ナイロン、ポリブチレンテレフタレート、ポリエチレンナフタレート、ポリアクリロニトリルなどのプラスチックからなるフィルム、紙紐、綿紐などが用いられ、これらの中でも、引張強さおよび引張り伸度の点から延伸ポリエチレンテレフタレートフィルム、延伸ポリプロピレンフィルムが好ましく用いられる。さらに好ましくは、優れた引張強さおよび引張り伸度を有することから、二軸延伸ポリエチレンテレフタレートフィルム、二軸延伸ポリプロピレンフィルムが用いられる。
【００１７】
切断テープ２３、２３の厚みは、包装材主体２１で巻取り体１１を包装することにより、巻取り体１１の胴面１１ａに切断テープ２３の形跡が残らない程度であれば特に限定されないが、取り扱い易さや、必要とされる強度を満たすためなどの点から３０μｍ〜１５０μｍが好ましく、５０μｍ〜１００μｍがより好ましい。
【００１８】
切断テープ２３、２３の幅は、各々１ｍｍ〜１０ｍｍが好ましく、２ｍｍ〜８ｍｍがより好ましい。
通常、包装材主体２１の端面包装部２１ｂは、巻取り包装体１０が地面に横倒しの状態（巻取り体１１の胴面１１ａ側が地面と接する状態）のままで、開封される。したがって、切断テープ２３、２３の幅が広すぎると、包装材主体２１の地面と接する部分にある切断テープ２３、２３は、地面との接触面積が大きくなり過ぎて、引き出せなくなるおそれがある。一方、切断テープ２３、２３の幅が狭過ぎると、切断テープ２３、２３を引っ張った際に、切れてしまうおそれがある。
【００１９】
また、切断テープ２３、２３の縦方向（長手方向）の１８０度捻り引張強さは、２０Ｎ／４ｍｍ以上であることが好ましく、３０Ｎ／４ｍｍ以上であることがより好ましい。
ここで、切断テープ２３、２３の縦方向の１８０度捻り引張強さとは、長尺帯状の切断テープ２３、２３を１０ｃｍ〜２０ｃｍ程度の短冊状に切り出し、この短冊状の切断テープ２３、２３を１８０度捻った状態で、長手方向に引っ張った時のＪＩＳ規格のＰ８１１３−１９９８で定める測定方法に準じて測定された強度である。
【００２０】
切断テープ２３、２３は接着、融着などの手段により、包装材主体２１に積層される。
【００２１】
次に、包装材２０を用いた巻取り体１１の包装方法について示す。
まず、巻取り体１１の一方の端面１１ｂの一方に、端面１１ｂを保護するための円盤状の保護パッド２５を当接する。
次いで、切断テープ２３、２３が巻取り体１１の両端面１１ｂ、１１ｂの近傍となるように、かつ、一方の切断テープ２３が保護パッド２５に重なる位置となるように、切断テープ２３、２３を内側（巻取り体１１側）として、包装材主体２１の胴面包装部２１ａを巻取り体１１の胴面１１ａ全体に巻き付ける。
次いで、包装材主体２１の端面包装部２１ｂを、両端面１１ｂ、１１ｂおよび保護パッド２５側に折り畳んで、端面包装部２１ｂで、両端面１１ｂ、１１ｂおよび保護パッド２５を覆うことにより、包装が完了する。
【００２２】
このように、切断テープ２３、２３が、包装材２０で、巻取り体１１を包装した際に、巻取り体１１の両端面１１ｂ近傍の外周方向全周に亘って存する位置に、包装材主体２１に積層されているので、この切断テープ２３の端部を持ち、巻取り体１１の外周方向に引っ張ることにより、包装材主体２１が引き裂かれ、包装材主体２１の胴面包装部２１ａと端面包装部２１ｂを容易に分離することができる。これにより、包装材主体２１の端面包装部２１ｂが開封される。
【００２３】
また、巻取り包装体１０が地面に横倒しの状態（巻取り体１１の胴面１１ａ側が地面と接する状態）のままであっても、切断テープ２３、２３を巻取り包装体１０の軸方向外側に引っ張ることにより、地面に接している部分も含めて引き出すことができ、包装材主体２１の端面包装部２１ｂを容易に開封することができる。そのため、包装材２０の開封時にクランプ車を使用して巻取り包装体１０を持ち上げる必要がなくなり、クランプ車の作業スペースが不要となる。
【００２４】
このとき、胴面１１ａに巻き付けられた胴面包装部２１ａが破けることはないから、後の印刷作業などに支障をきたすことがない。
【００２５】
さらに、切断テープ２３、２３が、巻取り体１１の包装の際に、巻取り体１１の両端面１１ｂの少なくとも一方に当接される保護パッド２５に重なる位置に、包装材主体２１と積層されていれば、この切断テープ２３、２３によって、包装材主体２１の胴面包装部２１ａと端面包装部２１ｂを分離すれば、保護パッド２５の全部または一部が露出されるから、切断テープ２３、２３によって包装材主体２１を引き裂くのとほぼ同時に、または、その後に容易に保護パッド２５を取り除くことができる。したがって、端面１１ｂを容易に露出させることができる。
【００２６】
また、巻取り包装体１０が、地面に横倒しの状態では、包装材２０の切断テープ２３、２３が積層された部分の一部は、地面と接している。そのため、この部分の切断テープ２３、２３を引き出す際に、切断テープ２３、２３には、一瞬強い力が加えられる。しかも、作業者は巻取り包装体１０の軸方向外側から切断テープ２３、２３を引っ張ると考えられるので、包装材２０の端面包装部２１ｂを開封する際には切断テープ２３、２３を捻りながら強く引っ張ることとなる。
しかし、上述のように、切断テープ２３、２３は縦方向の１８０度捻り引張強さが２０Ｎ／４ｍｍ以上とされているので、切断テープ２３が切れることなく、巻取り包装体１０を地面に横倒しの状態のままでも、包装材主体２１の端面包装部２１ｂを容易に開封することができる。また、包装材主体２１の端面包装部２１ｂを開封する際に、切断テープ２３のエッジ部分による刃物のような相乗効果を発揮するために、切断テープ２３には、ある程度以上の剛度が必要である。
【００２７】
なお、本実施形態では、巻取り体１１の両端面１１ｂの一方に保護パッド２５が当接された例を示したが、本発明では、両端面１１ｂに保護パッド２５が当接されていてもよい。この場合、切断テープ２３は、両方の保護パッド２５に重なる位置に設ける。
また、本実施形態では、巻取り体１１を直接、包装材２０で包装する態様としたが、巻取り体１１の胴面１１ａのみを別の包装材で包装し、保護パッド２５を端面１１ｂに当接した後に全体を包装材２０で包装するように構成してもよい。
【００２８】
【実施例】
以下に実施例により本発明をさらに具体的に説明するが、本発明は以下の実施例に限定されるものではない。
【００２９】
（実施例１）
切断テープを、包装材主体の所定位置に積層一体化して包装材を作製し、この包装材を用いて巻取り体を包装して巻取り包装体とした。
切断テープとしては、厚み５０μｍ、幅４ｍｍ、長さ１２．５ｍの二軸延伸ポリエチレンテレフタレートテープ（商品名：エンブレットＳ−５０、ユニチカ社製）を使用した。
包装材主体としては、厚み１９０μｍ、縦１２．５ｍ、横１．７ｍの未晒クラフト紙（商品名：クラフト紙１５０ｇ／ｍ２、王子製紙社製）を使用した。
巻取り体としては、直径１．２１ｍ、長さ１９０００ｍ、重量１３３０ｋｇの新聞用紙巻取りを使用した。
この巻取り包装体を地面に横倒しの状態で、切断テープを引っ張って、包装材主体を引き裂き、包装材主体の端面包装部の開封の良否を評価した。評価の基準を以下に示す。
○：切断テープが切れず、新聞用紙の印刷面への形跡もなく、開封口が胴面に入り込まない。
△：切断テープは切れないが、新聞用紙の印刷面への形跡が残る。
×：切断テープが伸びきって、切れてしまった。
評価の結果を表１に示す。
【００３０】
（実施例２）
切断テープとして、厚み７５μｍ、幅４ｍｍ、長さ１２．５ｍの二軸延伸ポリエチレンテレフタレートテープ（商品名：エンブレットＳ−７０、ユニチカ社製）を使用した以外は実施例１と同様にして、包装材主体の端面包装部の開封の良否を評価した。評価の結果を表１に示す。
【００３１】
（実施例３）
切断テープとして、厚み１００μｍ、幅４ｍｍ、長さ１２．５ｍの二軸延伸ポリエチレンテレフタレートテープ（商品名：エンブレットＳ−１００、ユニチカ社製）を使用した以外は実施例１と同様にして、包装材主体の端面包装部の開封の良否を評価した。評価の結果を表１に示す。
【００３２】
（実施例４）
切断テープとして、厚み５０μｍ、幅４ｍｍ、長さ１２．５ｍの二軸延伸ポリプロピレンテープ（商品名：トレファンＢＯ２５００、東レ社製）を使用した以外は実施例１と同様にして、包装材主体の端面包装部の開封の良否を評価した。評価の結果を表１に示す。
【００３３】
（実施例５）
切断テープとして、厚み５０μｍ、幅４ｍｍ、長さ１２．５ｍの二軸延伸ポリプロピレンテープ（商品名：トレファンＢＯ／Ｍ１１４、東レ社製）を使用した以外は実施例１と同様にして、包装材主体の端面包装部の開封の良否を評価した。評価の結果を表１に示す。
【００３４】
（参考例）
切断テープとして、直径１ｍｍ、長さ１２．５ｍの綿紐を使用した以外は実施例１と同様にして、包装材主体の端面包装部の開封の良否を評価した。評価の結果を表１に示す。
【００３５】
（比較例１）
切断テープとして、厚み２０μｍ、幅４ｍｍ、長さ１２．５ｍの無延伸ポリプロピレンテープ（商品名：ＣＰＰ、瑞通社製）を使用した以外は実施例１と同様にして、包装材主体の端面包装部の開封の良否を評価した。評価の結果を表１に示す。
【００３６】
（比較例２）
切断テープとして、厚み７０μｍ、幅４ｍｍ、長さ１２．５ｍの無延伸ポリプロピレンテープ（商品名：ＣＰＧ、瑞通社製）を使用した以外は実施例１と同様にして、包装材主体の端面包装部の開封の良否を評価した。評価の結果を表１に示す。
【００３７】
次に、実施例１〜５および比較例１、２で用いた各切断テープを、幅４ｍｍ、長さ１２．５ｃｍの短冊状に切り出して試験片とし、定速伸張形引張試験機（型式：テンシロンＲＴＭ−１００、オリエンテック社製）を用いて、ＪＩＳ規格のＰ８１１３−１９９８で定める測定方法に準じて、各切断テープにおける縦方向の１８０度捻り引張強さを測定した。また、ＪＩＳ規格のＰ８１１３−１９９８で定める測定方法に準じて、各切断テープにおける横方向の１８０度捻り引張強さを測定した。
このとき、引張試験機の２個のつかみ具の間隔を１００ｍｍとして、試験片を１８０度捻った状態で、つかみ具で把持し、引張速度を３００ｍｍ／ｍｉｎ、チャートスピードを６０ｍｍ／ｍｉｎの条件で測定した。
結果を表１に示す。
なお、表１中、ポリエチレンテレフタレートをＰＥＴ、ポリプロピレンをＰＰと略記する。
【００３８】
【表１】
2004238053.tif 000003
【００３９】
表１の結果から、切断テープの縦方向の１８０度捻り引張強さが２０Ｎ／４ｍｍ以上である場合に、包装材が開封しやすいことがわかった。また、このような条件を満たす切断テープとして、二軸延伸ポリエチレンテレフタレートテープおよび二軸延伸ポリプロピレンテープを採用できることがわかった。
特に、厚み５０μｍ以上の二軸延伸ポリエチレンテレフタレートテープおよび二軸延伸ポリプロピレンテープは、縦方向および横方向に充分な強度を有し、巻取り包装体用の包装材の切断テープとして適用した場合、包装材主体を容易に引き裂くことができることが確認された。また、実施例１〜３により、切断テープの厚みが厚くなると、引張強さが強くなることも確認された。さらに、比較例１、２により無延伸ポリプロピレンは、巻取り包装体用の包装材には不適であることが確認された。
【００４０】
【発明の効果】
以上説明したように、本発明によれば、巻取り包装体が地面に横倒しの状態のままであっても、包装材主体の端面包装部を容易に開封することができる。また、包装材の開封時にクランプ車を使用する必要がなくなり、クランプ車の作業スペースが不要となる。したがって、この包装材によれば、作業効率を大幅に向上することができる。さらに、作業者がカッターなどの刃物を用いて包装材主体の端面包装部を開封する必要がなくなるから、作業者の安全性を確保することもできる。そして、包装材主体の胴面包装部と端面包装部を分離する際に、巻取り体の胴面に巻き付けられたの胴面包装部が破けることがないから、使用前に巻取り体が吸湿して、後の印刷作業などに支障をきたすことがない。
【図面の簡単な説明】
【図１】本実施形態に係る巻取り包装体の開封を開始した状態の概略斜視図である。
【図２】図１の巻取り包装体の端面近傍の概略断面図である。
【図３】図１の巻取り包装体の包装前の巻取り体を示す概略斜視図である。
【図４】本実施形態の包装材の一例を示す概略平面図である。
【符号の説明】
１０・・・巻取り包装体、１１・・・巻取り体、１１ａ・・・胴面、１１ｂ・・・端面、１２・・・帯状体、１３・・・巻芯、２０・・・包装材、２１・・・包装材主体、２１ａ・・・胴面包装部、２１ｂ・・・端面包装部、２３・・・切断テープ、２５・・・保護パッド
【図１】
2004238053.tif 000004
【図２】
2004238053.tif 000005
【図３】
2004238053.tif 000006
【図４】
2004238053.tif 000007